(57)【要約】【課題】簡易な構成により改ざん防止機能を発揮することができる改ざん防止機能を有する表示板付き包装用箱及びその製造方法を提供する。【解決手段】本発明の表示板付き包装用箱は、側面を形成する各側板とそれに連接される上板３２と底板２２を有する容器本体と、側板１２に連接される第１表示板１７を有する箱体形成片１１から形成される。第１表示板１７は、折罫線４０を介して折り畳まれる第２表示板１８が連接され、第２表示板１８には、開封時に可動片をなす上板３２の側縁と当接することで、第２表示板の展開を規制する展開規制片１８ｂが連接されている。開封時、上板３２の断続する切込み線３３ａを切断することにより、容器本体は開封され、展開規制片１８ｂによる第２表示板１８の展開の規制が解除される。【選択図】図１
2015227188.tif 000002
【特許請求の範囲】
【請求項１】
一枚のブランクシートから一体的に打ち抜かれた箱体形成片からなり、
前記箱体形成片には、互いに連接される複数枚の側板、該側板のいずれかと連接される上板と底板を有する容器本体と、前記側板の少なくとも一枚において、該側板に連接され、該側板の面方向へ突出する表示板を有してなり、前記容器本体を形成する前記板のいずれかには、開封時、該板に不可逆的な構造変化を伴って容器本体内部を開放させる改ざん防止機能を有する開封蓋が形成されている表示板付き包装用箱において、
前記表示板は、少なくとも１本の折罫線を介して折り畳まれる折畳片を有してなり、該折畳片には、前記開封蓋に当接することにより、前記折畳片の展開が規制される展開規制片が連接され、前記開封蓋の開封により、前記展開規制片による展開の規制が解除される表示板付き包装用箱。
【請求項２】
前記開封蓋は、改ざん防止機能として切断部が形成され、該切断部の切断により、開封される請求項１に記載の表示板付き包装用箱。
【請求項３】
前記展開規制片は、前記容器本体内に配され、該容器本体の内部方向に先細状、長方形状、円弧状、階段状、碇状、釣り針状、又はそれらの組み合わされた形状に突出している請求項１又は請求項２に記載の表示板付き包装用箱。
【請求項４】
前記表示板付き包装用箱は、紙及びプラスチックから選ばれる少なくとも一種により形成されている請求項１から請求項３のいずれか一項に記載の表示板付き包装用箱。
【請求項５】
請求項１から請求項４のいずれか一項に記載の表示板付き包装用箱の製造方法であって、
前記折畳片の折り畳み構造を形成した後、前記開封蓋が封鎖される表示板付き包装用箱の製造方法。
【発明の詳細な説明】
【技術分野】
【０００１】
本発明は、改ざん防止機能を有する表示板付き包装用箱及びその製造方法に関する。
【背景技術】
【０００２】
近年、例えば店頭等で陳列される包装用箱に関し、商品の説明及び取り扱い等の商品に関して表示すべき事項や、店頭で広告として表示したい事項が増大しており、包装用箱の表面のみでは表示面積が不足する場合があった。そのため、例えば特許文献１に開示されるような箱本体に展開可能な折り畳み構造を有する表示板を連接した表示板付き包装用箱が知られている。
【０００３】
ところで、一度開封した箱本体を、開封する前と同じ状態に容易に復元できると、内容物の改ざんの可能性が否定できないことから、従来より特許文献２に開示されるような改ざん防止機能付き包装用箱が知られている。特許文献２の包装用箱は、側壁の一部に断続する切込み線によって形成される押し込み片が改ざん防止機能を発揮する。つまり、包装用箱を開封する際、押し込み片を押し込む操作を必要とするため、開封後は復元不能な切り取られた押し込み片により、一旦開封されたものであることが外観から容易に判別できる。
【０００４】
一方、折り畳み構造を有する表示板付き包装用箱においても、容易に折り畳み構造が展開されると、表示板の破れ等により、外観特性が低下するという問題があることから、従来より特許文献３に開示されるような改ざん防止機能を有する表示板付き包装用箱が知られている。特許文献３は、断続する切込み線が設けられている表示板及び断続する切込み線が設けられている蓋片について開示する。
【先行技術文献】
【特許文献】
【０００５】
【特許文献１】特開２０１３−２１６３５８号公報
【特許文献２】特開２００３−３４１６５６号公報
【特許文献３】特開平１１−２５５２３３号公報
【発明の概要】
【発明が解決しようとする課題】
【０００６】
しかしながら、特許文献３に開示される改ざん防止機能付きの表示板付き包装用箱は、表示板の展開及び蓋片の開封のそれぞれに改ざん防止機能が設けられているため、箱の構成が複雑になるという問題があった。
【０００７】
そこで、本発明の目的とするところは、簡易な構成により改ざん防止機能を発揮することができる改ざん防止機能を有する表示板付き包装用箱及びその製造方法を提供することにある。
【課題を解決するための手段】
【０００８】
上記の目的を達成するために本発明の一形態は、一枚のブランクシートから一体的に打ち抜かれた箱体形成片からなり、前記箱体形成片には、互いに連接される複数枚の側板、該側板のいずれかと連接される上板と底板を有する容器本体と、前記側板の少なくとも一枚において、該側板に連接され、該側板の面方向へ突出する表示板を有してなり、前記容器本体を形成する前記板のいずれかには、開封時、該板に不可逆的な構造変化を伴って容器本体内部を開放させる改ざん防止機能を有する開封蓋が形成されている表示板付き包装用箱において、前記表示板は、少なくとも１本の折罫線を介して折り畳まれる折畳片を有してなり、該折畳片には、前記開封蓋に当接することにより、前記折畳片の展開が規制される展開規制片が連接され、前記開封蓋の開封により、前記展開規制片による展開の規制が解除される表示板付き包装用箱に関する。前記開封蓋は、改ざん防止機能として切断部が形成され、該切断部の切断により、開封される構成であってもよい。前記展開規制片は、前記容器本体内に配され、該容器本体の内部方向に先細状、長方形状、円弧状、階段状、碇状、釣り針状、又はそれらの組み合わされた形状に突出してもよい。前記表示板付き包装用箱は、紙及びプラスチックから選ばれる少なくとも一種により形成されていることが好ましい。
【０００９】
本発明の別の形態は、前記表示板付き包装用箱の製造方法であって、前記折畳片の折り畳み構造を形成した後、前記開封蓋が封鎖される。
【発明の効果】
【００１０】
本発明によれば、簡易な構成により改ざん防止機能を発揮することができる。
【図面の簡単な説明】
【００１１】
【図１】本実施形態における表示板付き包装用箱を構成するブランクシートにおいて、表示板付き包装用箱の内側から見た表示板付き包装用箱の展開図。
【図２】本実施形態における表示板付き包装用箱の箱体形成片を筒状に組み立てた状態であって、表示板が展開され、上板及び底板が開いた状態を示す斜視図。
【図３】本実施形態における表示板付き包装用箱の箱体形成片を筒状に組み立てた状態であって、表示板が折り畳まれ、上板及び底板が開いた状態を示す斜視図。
【図４】本実施形態における表示板付き包装用箱を組み立てた状態を示す斜視図。
【図５】本実施形態における表示板付き包装用箱の上板を開封した状態を示す部分斜視図。
【図６】本実施形態における表示板付き包装用箱の上板を開封した後、表示板を展開した状態を示す正面図。
【図７】別例における展開規制片の部分斜視図。（ａ）展開規制片の両側を容器本体の内部方向に折り曲げた展開規制片の部分斜視図。（ｂ）展開規制片の全体を上板と水平方向に折り曲げた展開規制片の部分斜視図。
【発明を実施するための形態】
【００１２】
以下、本発明の表示板付き包装用箱を具体化した一実施形態を図１〜図６にしたがって説明する。
図１に示すように、一枚のブランクシートから一体的に切り抜いて形成される箱体形成片１１は、略同一形状の３枚の長方形状の側板１２，１３，１４がそれぞれ折罫線１５，１６を介して列をなして連接されている。側板１２は、側板１３の反対側の側縁において、第１表示板１７と折罫線１９を介して連接されている。第１表示板１７の面上には、折罫線１９が一辺をなし、側板１３と略同一形状の側板部１７ａが設けられている。側板１４は、側板１３の反対側の側縁において、糊付け片２０が折罫線２１を介して連接されている。側板１４と糊付け片２０には、折罫線２１をまたぐように、折罫線２１の中央上側と下側の２か所に縦方向に楕円状の係合溝２１ａ，２１ｂが貫設されている。
【００１３】
側板１２の下端縁には底板２２が折罫線２３を介して連接され、上端縁には内フラップ２４が折罫線２５を介して連接されている。底板２２は、側板１２の反対側の側縁において、先細状の舌片２６が折罫線２７を介し連接されている。舌片２６の左右両側には肩部２６ａが切り込み形成されている。折罫線２５の中央部には、切込み線２５ａが形成されている。切込み線２５ａの両端は、やや側板１２側へ傾斜して切り込まれている。
【００１４】
側板１３の上端縁には内フラップ２８が折罫線２９を介して連接されている。側板１３の下端縁には内フラップ３０が折罫線３１を介して連接されている。内フラップ３０の上端中央部には、Ｕ字状の切込み３１ａが形成され、切込み３１ａの両端は、折罫線３１と繋がれている。側板１３の下端縁には、切込み３１ａにより、箱の組み立て後でも側板１３と同一面上で連接される倒立片１３ａが設けられる。
【００１５】
側板１４の上端縁には開封蓋となる上板３２が折罫線３３を介して連接され、下端縁には内フラップ３４が折罫線３５を介して連接されている。折罫線３３上には、断続する切込み線３３ａが形成されている。上板３２は、側板１４の反対側の側縁において、先細状の舌片３６が折罫線３７を介し連接されている。舌片３６の左右両側には肩部３６ａが切り込み形成されている。舌片３６の左右方向の長さは、切込み線２５ａの長さと略同一に形成される。上板３２の側板１３側の側縁には上方から中央部まで斜め下方に切り込まれ、その側縁の下側残部とその下側残部に隣接する切込み線３３ａにより開封片３２ａが形成されている。折罫線３５の中央部には、切込み線３５ａが形成されている。切込み線３５ａの両端は、やや側板１４側へ傾斜して切り込まれている。舌片２６の左右方向の長さは、切込み線３５ａの長さと略同一に形成される。
【００１６】
第１表示板１７は、側板部１７ａと同一面上において、側板部１７ａの上方から側方側の範囲において、表示部１７ｂを有する。第１表示板１７の表示部１７ｂと反対側の面にも図１において図示しない表示部１７ｃが設けられている。第１表示板１７の側板１３の反対側の側縁において、折罫線４０を介し、折畳片としての第２表示板１８が連接されている。第２表示板１８は、折罫線４０を中心に１８０度折り返し可能なように、折罫線４０を中心に対抗する位置に側板部１７ａの形状とほぼ対応する切抜き１８ａが施されている。切抜き１８ａの上端縁には、展開規制片１８ｂが下方へ先細状に突出している。展開規制片１８ｂは、第２表示板１８が折罫線４０を中心に１８０度折り返した際、側板部１７ａの上端縁に対応する仮想線１８ｃから下方の範囲において側板部１７ａと接する。切抜き１８ａの側縁には、左右方向において係合溝２１ａ，２１ｂに対応する高さ位置において、凸状の係合片１８ｄ，１８ｅがそれぞれ形成されている。係合片１８ｄ，１８ｅは、第２表示板１８が折罫線４０を中心に１８０度折り返した際、側板部１７ａと接する。第２表示板１８の表面には、表示部１８ｆが設けられ、表示部１８ｆは、第２表示板１８が折罫線４０を中心に１８０度折り返した際、表示部１７ｂと向い合せて接する。第２表示板１８の表示部１８ｆと反対側の面にも図１において図示しない表示部１８ｇが形成されている。
【００１７】
第１表示板１７と第２表示板１８の面上には、折罫線４０を中心に１８０度折り返した際に対応する位置にフック孔１７ｄ，１８ｈがそれぞれ貫設されている。
次に、箱体形成片１１から本実施形態の表示板付き包装用箱の組み立て方法について説明する。
【００１８】
図１において、ブランクシートの裏面側から見た表示板付き包装用箱の展開図は、表示板付き包装用箱の内側及び表示板の内側を示すため、図１に示される折罫線は、箱の完成時は、全て谷折りされる。
【００１９】
図２，４に示されるように、最終的に側板１２，１４の裏面が、表示板付き包装用箱１０の容器本体３８の左右側面をそれぞれ形成し、側板１３及び側板部１７ａの裏面が、容器本体３８の正面及び背面をそれぞれ形成する。底板２２及び上板３２の裏面が箱の底面及び上面（開封蓋の上面）をそれぞれ形成する。
【００２０】
図１，２に示されるように、表示板付き包装用箱１０の組み立て時、まず折罫線１５，１６，１９，２１がそれぞれ９０度に折り曲げられ、糊付け片２０の図１における裏面と側板部１７ａの表面上の対応部分とが接着されることにより、箱体形成片１１を筒状に組み立てる。
【００２１】
図３に示されるように、第２表示板１８が折罫線４０を中心に１８０度折り返し、第２表示板１８の表示部１８ｆと、表示部１７ｂと向い合せて接触される。この際、展開規制片１８ｂは、側板部１７ａの表面と接しながら容器本体３８内に収められる。尚、展開規制片１８ｂは、側板部１７ａの表面と直接接する構成でも、糊付け片２０の面を介し、間接的に接する構成でもよい。また、係合片１８ｄ，１８ｅが、係合溝２１ａ，２１ｂの裏面側からそれぞれ挿入される。係合片１８ｄ，１８ｅと、係合溝２１ａ，２１ｂとの係合状態は、開封の際、容易に解除されるよう構成される。つまり、係合片１８ｄ，１８ｅと、係合溝２１ａ，２１ｂとの係合状態は、第２表示板１８の折り畳み状態の維持を補助するための手段である。係合片１８ｄ，１８ｅの凸部の高さを小さく構成したり、楕円状の係合溝２１ａ，２１ｂの切り抜きを大きく構成することにより、表示板の展開時、容易に係合状態は解除される。尚、表示板の展開時、容易に係合状態が解除される構成であれば、係合溝及び係合片の形状、数、位置は特に限定されない。
【００２２】
図３，４に示されるように、容器本体３８の底部の内フラップ３０，３４がそれぞれ折罫線３１，３５を介し９０度に折り曲げられる。次に底板２２が折罫線２３を介し、舌片２６が折罫線２７を介してそれぞれ９０度に折り曲げられながら、舌片２６が切込み線３５ａの裏面側から挿入される。側板１３の下端縁において、内フラップ３０の折り曲げにより、倒立片１３ａが出現する。
【００２３】
容器本体３８の上端開口部３８ａから内容物が収容された後、内フラップ２４，２８が折罫線２５，２９を介しそれぞれ９０度に折り曲げられる。最後に上板３２が折罫線３３を介し、舌片３６が折罫線３７を介してそれぞれ９０度に折り曲げられながら、舌片３６が切込み線２５ａの裏面側から挿入され、本実施形態の表示板付き包装用箱１０は完成する。
【００２４】
次に、本実施形態の表示板付き包装用箱１０の開封方法について説明する。
図４，５に示されるように、断続する切込み線３３ａは、容器本体３８の表面に設けられる切断部として形成される。そのため、開封時、断続する切込み線３３ａの切断により、上板３２が可動し、容器本体３８内部を開放させる。具体的には、図５に示されるように、上板３２の開封片３２ａを把持して、引っ張ることにより断続する切込み線３３ａを破断させる。切込み線３３ａの破断により、上板３２は、折罫線３３を介した側板１４との連接が解除される。上板３２は、切込み線２５ａと舌片３６の折罫線３７との係合部を軸とした可動片３９を形成する。上板３２は、折罫線３３を介した側板１４との連接の切断という不可逆的な構造変化を伴うため、切込み線３３ａにより、改ざん防止作用が発揮される。可動片３９の開放により、容器本体３８内部が開放され、可動片３９の側縁と展開規制片１８ｂとの当接が解除されるとともに、係合片１８ｄ，１８ｅと、係合溝２１ａ，２１ｂとの係合がそれぞれ解除される。それにより、第２表示板１８の展開の規制が解除される。最後に、図６に示されるように、第２表示板１８が展開され、容器本体３８内の内容物が取り出される。
【００２５】
次に、本実施形態の表示板付き包装用箱１０の作用について説明する。
本実施形態の表示板付き包装用箱１０は、組み立て後、展開規制片１８ｂが容器本体３８内の側板部１７ａの表面と接した状態で、上板３２によって上端開口部３８ａが封鎖される。展開規制片１８ｂは、第２表示板１８の展開方向において、開封時に可動片３９となる上板３２の側縁と当接している。組み立て後、第２表示板１８は、不可逆的な構造変化を伴わない展開又は再折り畳みが規制されることが好ましい。表示板の不可逆的な構造変化を伴わない展開又は再折り畳みとは、表示板を展開又は再折り畳みする際、箱の構成要素の一部の破れ、不可逆的な折しわ等の一度展開したことが目視により判断可能な改ざんの痕跡が残らないように展開又は再折り畳みすることをいう。つまり、展開規制片１８ｂが上板３２の側縁と当接する限りにおいて、第２表示板１８を無理に展開しようとする場合、破れ、不可逆的な折しわの発生等の改ざんの痕跡を残すことにより、展開規制片１８ｂが改ざん防止作用を発揮することが好ましい。または、第２表示板１８を無理に展開した後、展開規制片１８ｂを再び第１表示板１７と上板３２の側縁との隙間から容器本体３８内へ無理に差し込む場合に、破れ、不可逆的な折しわの発生等の改ざんの痕跡を残すことにより、展開規制片１８ｂが改ざん防止作用を発揮することが好ましい。
【００２６】
したがって、展開規制片１８ｂが改ざん防止作用を発揮するために、上板３２の側縁と当接する限りにおいて、表示板や上板３２の不可逆的な構造変化を伴わない第２表示板１８の展開又は再折り畳みを、規制する程度の長さや幅を有することが好ましい。展開規制片１８ｂの形状や大きさは、表示板の材質や厚み等により適宜設定可能である。展開規制片１８ｂの幅方向及び縦方向の長さを変えることで、展開の規制の程度を適宜調整してもよい。例えば、展開規制片１８ｂは、第２表示板１８の折り畳み時、上板３２の側縁と半分以上接していることが好ましく、９割以上接していることがより好ましく、上板３２の側縁と対応して接していることがさらに好ましい。上板３２の側縁との当接部分が大きくなるほど、当接解除の際の展開規制片１８ｂの変形を大きくする必要があるため、第２表示板１８の展開抑制効果がより増加する。一方、上記実施形態において、展開規制片１８ｂは、第２表示板１８の折り畳み時、容器本体３８の内方向へ先細状に突出して形成されている。それにより、展開時は、第２表示板１８の展開方向への引っかかり等を少なくし、スムーズに展開することができる。
【００２７】
また、本実施形態の表示板付き包装用箱１０は、組み立て時、上板３２において、舌片３６が切込み線２５ａに挿入される。そのため、舌片３６の肩部３６ａが返し構造の役割をするため、切込み線２５ａの内側の両端近傍に当接し、抜け止めされる。組み立て後、無理に開封しようとすれば、改ざんの痕跡が残るため、舌片３６と切込み線２５ａにより改ざん防止作用が発揮される。尚、底板２２も上板３２と同様の構成により、容易に開封することができず、無理に開封しようとすれば、改ざんの痕跡が残るため、舌片２６と切込み線３５ａにより改ざん防止作用が発揮される。倒立片１３ａの下端縁は、組み立て後、第１表示板１７の下端縁と同一高さで平行に形成されるため、表示板付き包装用箱１０を安定に水平面上に置くことができる。
【００２８】
本実施形態の表示板付き包装用箱１０によれば、以下のような効果を得ることができる。
（１）本実施形態では、展開規制片１８ｂが、第２表示板１８の展開方向において、開封時に可動片３９をなし、改ざん防止機能としての切込み線３３ａを有する上板３２の側縁と当接するよう構成した。したがって、切込み線３３ａの切断のみで、上板３２の開封と第２表示板１８の展開の両方を行うことができる。よって、改ざん防止機能を有する表示板付き包装用箱１０を簡易に構成することができる。また、改ざん防止機能により、商品の展示中における表示板の展開又は上板３２の開封による箱の破れ等の外観特性の低下を抑制することができる。
【００２９】
（２）好ましくは、展開規制片１８ｂと上板３２の構成により、第２表示板１８は、不可逆的な構造変化を伴わない展開又は再折り畳みが規制される。したがって、簡易な構成により第２表示板１８の改ざん防止機能を発揮することができる。
【００３０】
（３）本実施形態において、改ざん防止機能を、断続する切込み線３３ａにより発揮するよう構成した。それにより、開封時、切込み線３３ａの切断により上板３２が開封され、容器本体３８内部が開放させる。したがって、簡易な構成により容器本体３８の改ざん防止機能を発揮することができる。また、かかる改ざん防止機能により、一旦開封したことが、切断後の切り取り線によって、容易に目視確認することができる。また、切込み線３３ａにより箱の開封を容易に行うことができる。
【００３１】
（４）本実施形態において、容器本体３８の内部方向へ突出する展開規制片１８ｂと上板３２の側縁が当接する構成により、第２表示板１８の展開をより確実に規制することができる。
【００３２】
（５）また、糊付け等の接着手段を使用しなくとも折り畳み構造が保持されるため、折り畳み構造を確実に保持することができ、表示板を展開した際、糊残り等により表示面の汚れ等が生ずるおそれがない。
【００３３】
（６）また、表示板の展開の際、表示板自体に断続する切込み線を設ける必要がなく、切込み線の切り取り失敗の際に表示面が誤って破れるおそれがない。
（７）本実施形態において、切込み線３３ａの破断により、上板３２は、折罫線３３を介した側板１４との連接が解除され、上板３２は、切込み線２５ａと舌片３６の肩部３６ａとの当接部分を軸とした可動片３９を形成する。したがって、表示板付き包装用箱１０の開封の際、分離される部位が生じないため、一枚のシート全体をまとめて破棄することができる。
【００３４】
（８）本実施形態において、第２表示板１８の折り畳み構造を形成した後、抜け止め構造を有する舌片３６を切込み線２５ａに挿入するのみで、改ざん防止機能を有する上板３２が封鎖される。したがって、改ざん防止機能を有する表示板付き包装用箱１０を容易に組み立てることができる。
【００３５】
なお、上記実施形態は以下のように変更してもよい。
・上記実施形態において、展開規制片１８ｂは、切抜き１８ａの上端縁から下方へ先細状に突出している構成を有している。例えば、展開規制片１８ｂの側板部１７ａの上端縁に対応する仮想線１８ｃからの長さ（高さ）は、材質にもよるが、表示板付き包装用箱１０が約０．３ｍｍ程度の紙で構成される場合、表示板の改ざん防止機能の発揮の観点から、５ｍｍ以上が好ましい。
【００３６】
・上記実施形態において、上板３２の側縁に対応する仮想線１８ｃから下方に突出する展開規制片１８ｂの形状は特に限定されず、先細状の他、長方形状（正方形状を含む）、円弧状、階段状、碇状、釣り針状、それらの組み合わせ等であってもよい。また、仮想線１８ｃの一部から下方に突出形成されてもよく、仮想線１８ｃの全体から下方に突出形成してもよい。
【００３７】
・上記実施形態において、展開規制片１８ｂの一部又は全体を折り曲げた折曲片を設けてもよい。例えば、図７（ａ）に示されるように、展開規制片１８ｂの両側に切り込みを入れ、切り込み部分を容器本体３８の内側方向に折り曲げた折曲片１８ｉを設けてもよい。また、図７（ｂ）に示されるように、展開規制片１８ｂを上板３２の水平方向に折り曲げた折曲片１８ｊを設けてもよい。第２表示板１８を展開するために、展開規制片１８ｂを容器本体３８内から引き抜く際、折曲片が上板３２（又は内フラップ２４，２８）の内側の面等と当接するため、展開規制片１８ｂの引き抜きを一層困難にする。
【００３８】
・上記実施形態において、好ましくは展開規制片１８ｂと上板３２の構成により、第２表示板１８の不可逆的な構造変化を伴わない展開又は再折り畳みが規制される。しかしながら、展開規制片１８ｂと上板３２が当接した状態で第２表示板１８を展開する場合、改ざん防止機能の発揮は、開けにくい構成であればよく、展開又は再折り畳み跡の残らない構成であってもよい。
【００３９】
・上記実施形態において、展開規制片１８ｂと上板３２との当接は、上板３２の側縁部分でなくても、表面又は裏面部分であってもよい。また、開封蓋は、容器本体３８の表面のいずれに形成されてもよい。
【００４０】
・上記実施形態において、展開規制片１８ｂは、開封蓋に当接することにより第２表示板１８の展開が規制され、開封蓋の開封により、展開規制片１８ｂによる展開の規制が解除されるよう構成されていれば、容器本体３８の外側に配されてもよい。
【００４１】
・上記実施形態において、容器本体内部を開放させる改ざん防止機能として切込み線を採用した。しかしながら、改ざん防止機能は、一度開封したことが目視により判断可能な改ざんの痕跡が残る手段であればよく、例えば、折り曲げ、層の剥がれ、着色等の痕跡であってもよい。
【００４２】
・上記実施形態において、開封部としての切込み線３３ａは、断続的な破断線により構成した。破断線以外にも、例えば切取り部分の厚みを薄くしたり、強度を弱くすることにより、切取りが可能な構成であれば、いずれも採用することができる。
【００４３】
・上記実施形態において、上板３２は、切込み線３３ａの切断による開封後、可動する可動片３９として容器本体３８に保持される。しかしながら、内部を開放する蓋の部分は、開封後、容器本体３８から分離されてもよい。
【００４４】
・上記実施形態において、第２表示板１８の折り畳みは、折罫線４０を介して行われる。しかしながら、折り畳み構造は、２度以上、複数回行ってもよい。また、折り畳まれる形状及び範囲は、特に限定されない。
【００４５】
・上記実施形態において、第１表示板１７の表示部１７ｂは、側板部１７ａと同一面上において、側板部１７ａの上方から側方側の範囲に形成した。しかしながら、第１表示板１７の表示部１７ｂは、側板部１７ａから面方向に突出して形成されていれば、いずれの方向に形成してもよい。尚、面方向とは、側板部１７ａの表面と垂直でない方向をいい、側板部１７ａの表面と必ずしも平行でなくてもよい。
【００４６】
・本発明の効果を阻害しない範囲内において、表示部において、一部切込みにより開封する手段が設けられてもよく、一部に糊付けされている部分があってもよい。しかしながら、表示部の損傷をより確実に防止する観点から、表示部の切込みや糊付け等の接着による折り畳み状態の保持手段はより少ない方が好ましい。
【００４７】
・上記実施形態において、表示板の内側の表示部１７ｂ，１８ｆにおいて表示する内容は、特に限定されず、例えば、商品の説明及び取り扱い等の商品に関して表示すべき事項、広告の他、購買意欲を増加させるために、商品を購入し、表示部を展開した際に、初めて確認することができるその他の情報等が挙げられる。
【００４８】
表示板の外側の表示部１７ｃ，１８ｇにおいて表示する内容もまた、特に限定されず、例えば、商品の説明及び取り扱い等の商品に関して表示すべき事項や、店頭で広告として表示したい事項の他、需要者の注意を引くための装飾等が挙げられる。
【００４９】
・上記実施形態の表示板付き包装用箱１０の組み立て方法に関し、上板３２と底板２２は、いずれが先に封鎖されてもよい。
・上記実施形態において、包装用箱の廃棄、表示部分の保存等を目的として、容易に解体可能なように、各折罫線を切取り線、例えば断続的な破断線や浅い切り込み等により構成してもよく、板面上に解体用の切込みを形成してもよい。
【００５０】
・上記実施形態において、容器本体３８を水平断面が四角形状に構成した。しかしながら、水平断面が三角形状、五角形以上の多角形の構成であってもよい。
・上記実施形態において、箱体形成片１１の素材は、特に限定されないが、適度な可撓性を有し、廃棄時の破断性に優れ、軽量である観点から、一般的に包装用箱に用いられている紙、プラスチックシートが好ましく適用される。紙としては、市販品を使用することができ、また薄手の紙、厚手の紙のいずれも使用することができる。また、内容物の確認にため、板の一部を透明なフィルムを使用して形成してもよい。
【００５１】
・上記実施形態において、容器本体３８の内部に収容される内容物は、特に限定されず、例えば、化粧品、医薬品、医薬部外品、飲食品等の各分野の製品が挙げられる。
・上記実施形態において、表示板付き包装用箱１０を展示する場合、第１表示板１７及び側板１２，１３，１４のいずれの板が正面側であってもよい。
【００５２】
次に、上記実施形態及び別例から把握できる技術的思想について、それらの効果とともに以下に追記する。
（ａ）前記展開規制片は、表示板の折り畳み時、開封蓋の側縁の半分以上と当接するとともに、容器本体の内方向へ先細状に突出して形成されている前記表示板付き包装用箱。従って、この（ａ）に記載の発明によれば、折り畳み時は、開封蓋の側縁との当接部分が大きいため、容易に当接を解除し、折畳片を展開することはできない。一方、先細状に突出して形成されるため、折畳片の展開時、展開方向への引っかかり等の障壁の発生を少なくし、スムーズに展開させることができる。
【符号の説明】
【００５３】
１０…表示板付き包装用箱、１１…箱体形成片、１２，１３，１４…側板、１７…第１表示板、１７ａ…側板部、１８…折畳片としての第２表示板、１８ｂ…展開規制片、２２…底板、３２…開封蓋としての上板、３３ａ…切断部としての切込み線、３８…容器本体、４０…折罫線。
【図１】
2015227188.tif 000003
【図２】
2015227188.tif 000004
【図３】
2015227188.tif 000005
【図４】
2015227188.tif 000006
【図５】
2015227188.tif 000007
【図６】
2015227188.tif 000008
【図７】
2015227188.tif 000009